(57)【要約】本発明は、単一の手持ち式の電力供給ハウジング内に保持された２以上の口腔トリートメント組成物を含む口腔トリートメントシステムに関する。特に、本発明は、ブラシハンドル中に統合された２以上の口腔トリートメント組成物を連続的に供給できる電動歯ブラシに関する。このシステムは、改良された口腔トリートメント養生法を提供する。【特許請求の範囲】
【請求項１】
（ａ）使用者の手で快適に握ることができる単一ハウジングであって、
（ｉ）第一の液体口腔トリートメント組成物を含有する第一リザーバ、
（ｉｉ）第一の口腔トリートメント組成物とは異なる、第二の液体口腔トリートメント組成物を含有する第二リザーバを含むカートリッジを含有するハウジング；
（ｂ）第一及び第二口腔トリートメント組成物を歯又は口腔軟組織に適用するために、ハウジングに取り付けられているか又は取り付け可能なアプリケーター；
（ｃ）アプリケーターに組成物をポンプ輸送するためのエネルギーを提供するため、及び／又はアプリケーターにエネルギーを供給するための電力供給源；
（ｄ）使用者が口腔に第一及び第二組成物を同時に又は連続的に供給するのを可能にするための制御手段；並びに
（ｅ）使用者のための説明セットを含む口腔トリートメントシステム。
【請求項２】
第一及び第二リザーバが、ハウジングから交換できるよう取外し可能である請求項１に記載のシステム。
【請求項３】
口腔トリートメント組成物が、界面活性剤、研磨材及びこれらの混合物から選択される洗浄剤を０．１〜４０％含む請求項１又は２に記載のシステム。
【請求項４】
口腔トリートメント組成物が、動物油、鉱油、植物油及びシリコーン油、歯又は口腔軟組織の表面に対して実体的であるポリマー、並びにこれらの混合物から選択されるコンディショニング剤を０．０１〜２０％含む請求項１〜３のいずれか一項に記載のシステム。
【請求項５】
口腔トリートメント組成物が、１００〜３０００ｐｐｍのフッ化物イオンを提供するフッ化物イオン供給源を含む請求項１〜４のいずれか一項に記載のシステム。
【請求項６】
２５℃において０．１ｓ−１の剪断速度で測定される時に第一及び第二口腔トリートメント組成物が１０〜５００Ｐａ．ｓの粘度を有する請求項１〜５のいずれか一項に記載のシステム。
【請求項７】
１以上のトリートメント組成物に音エネルギーを適用するための手段を含む請求項１〜６のいずれか一項に記載のシステム。
【請求項８】
使用者の口腔ケアの要求に従って、説明書が、第一及び第二組成物の選択についての助言を提供する請求項１〜７のいずれか一項に記載のシステム。
【請求項９】
使用者の口腔ケアの要求に従って、説明書が、システムにより適用されるトリートメント養生法についての助言を提供する請求項１〜８のいずれか一項に記載のシステム。
【請求項１０】
請求項１〜９のいずれか一項に記載の口腔トリートメントシステムで使用するために取り付けられる単一カートリッジを含むキットであって、カートリッジが、
（ａ）それぞれ第一及び第二液体口腔トリートメント組成物を含有する第一及び第二リザーバ；
（ｂ）システムによるカートリッジの使用に関する説明書セットを含むキット。
【請求項１１】
請求項１〜１０のいずれか一項に記載の口腔トリートメントシステムを使用者に提供すること、並びに第一及び第二トリートメント組成物を使用者の歯又は口腔軟組織に放出するための制御手段を作動させる方法を使用者に説明することを含む歯又は口腔軟組織のトリートメント方法。
【請求項１２】
第一及び第二トリートメント組成物が連続的に供給される請求項１１に記載の方法。
【請求項１３】
第一及び第二トリートメント組成物が、両方とも５分間以内に放出される請求項１２に記載の方法。
【請求項１４】
第一及び第二トリートメント組成物が、少なくとも６時間の休止間隔で放出される請求項１２に記載の方法。
【発明の詳細な説明】
【０００１】
（発明の分野）
本発明は、単一の手持ち式電力供給ハウジング内に保持された２以上の口腔トリートメント組成物を含む口腔トリートメントシステムに関する。特に、本発明は、ブラシハンドル中に組み込まれた２以上の口腔トリートメント組成物を連続的に供給することができる電動歯ブラシに関する。このシステムは、改良された口腔トリートメント養生法を提供する。
【０００２】
（発明の背景）
殆どの口腔トリートメントが歯のブラッシング間に単一の歯磨き製品の適用を介して提供される場合が、依然として残っている。かかる適用は、一般的に使用者が製品を、かかる製品のチューブからブラシヘッド上へ分配することに依存する。ごく最近、歴史的に割高であった電動歯ブラシが益々入手可能になり、従って普及するようになった。しかしながら、練り歯磨きをブラシヘッド上に搾り出す基本的プロセスは同じままである。
【０００３】
この方法においては手動の歯ブラシが使用されようが、動力付きの歯ブラシが使用されようが、歯磨きの供給濃度の不足があるという点で毛の上に歯磨きを置くことに関して問題が生じる。例えば、毛の上における歯磨きの濃度は、ブラッシング前、毛に歯磨きが適用された直後に最大である。ブラッシング開始により、結果として迅速に、毛の上における歯磨きの濃度の減少をもたらし、そして歯磨きにより提供される利益の減退が起こり得る。
ブラッシングを時折停止して、歯磨きを毛に再適用することが可能ではあるものの、より実際的なアプローチはブラッシングの間に断続的に又は連続的に、歯磨きが分配されるリザーバを用いて、歯磨きを歯ブラシに提供することであり得る。
【０００４】
そのようなアイデアは新しくない。例えば、マッキンレー（ＭｃＫｉｎｌｅｙ）らに１９０３年６月２日に発行された米国特許第７３０，０４０号は、液体歯磨きをブラシの毛に供給するための容器を有する歯ブラシを開示する。シザー（Ｃｙｚｅｒ）に１９６５年１１月１６日に発行された米国特許第３，２１７，７２０号は、液体歯磨き容器を有する歯ブラシを開示する。クオ（Ｋｕｏ）に１９９９年６月８日に発行された米国特許第５，９０９，９７７号は、歯磨き材料を貯蔵するための補充可能なカートリッジ、及び歯磨き材料をブラシヘッドにポンプ輸送するための圧縮性弾性ボタンを利用する歯磨き分配歯ブラシを開示する。このアイデアの更なる発展としては、ジュリアーニ（Ｇｉｕｌｉａｎｉ）らに１９９４年５月１０日に発行された米国特許第５，３０９，５９０号に開示されるような、それを通して歯磨きが流れる中空毛の使用が挙げられる。
【０００５】
殆どの口腔トリートメント養生法に関する更なる問題は、それらが単一の化学的に安定した組成物内で、提供され得るそれらのトリートメントに、限定されるということであり、したがってより有効ではあるが貯蔵時に不安定であるという欠陥を有するトリートメント組成物、又はその構成成分が連続的に放出されるのが最善である組成物が除かれてしまうことである。
【０００６】
単一製品が２つの別々の相を包括する、二重構成成分の歯磨き組成物は、既知である。ＰＣＴ国際公開特許ＷＯ００／３２１５９、ＷＯ００／４２９８１及びＷＯ９９／５５２９７に記載されるものが典型的なものである。かかる製品において、化学的に不適合の構成成分を、歯ブラシに、一般的に２つの並列するリボン状のものとして分配されるまで、柔軟なチューブ又は他のディスペンサーの別々の区画に離して保つことができる。ＰＣＴ国際公開特許ＷＯ００／６２７４８は、例えば、口腔に連続的に適用することができるキットとして、２つの別々の製品が提供される口腔ケアシステムを記載する。独国特許公報ＤＥ１９８０１１１１Ａ１及び第ＤＥ２９７２１２９７Ｕ１は、連結溝を通してブラシヘッド上に直接分配するために、分離された製品を貯蔵することができる２つの統合された空洞を有する手動歯ブラシを記載する。しかしながら、これらのブラシは、第一の製品を第二のものと交換することが望ましい場合、第一製品の残渣の除去に関して簡単な機構がないので、ある製品を他のものに便利に交換できない。
【０００７】
従って、現代の消費者により期待されるような便利さを有する、様々な有効性のあるトリートメント養生法を提供できる口腔ケアシステムに関する要求が残っている。これら及び他の要求は、本明細書を通読することによって当業者に明白となる。
【０００８】
（発明の概要）
本発明の１つの実施例に従って、使用者の手で快適に握ることができる単一ハウジングであって、第一及び第二のリザーバを含むカートリッジを含有するハウジングを含む口腔トリートメントシステムが提供される。リザーバはそれぞれ、第一及び第二液体口腔トリートメント組成物を含有し、この第一及び第二組成物は互いに異なるものである。このシステムは更に、第一及び第二口腔トリートメント組成物を歯又は口腔軟組織に適用するために、ハウジングに取り付けられているか又は取り付け可能なアプリケーター；アプリケーターに組成物をポンプ輸送するためのエネルギーを提供するため、及び／又はアプリケーターにエネルギーを供給するための電力供給源；並びに使用者が口腔に第一及び第二組成物を同時に又は連続的に供給するのを可能にするための制御手段を含む。このシステムは、また更に、使用者のための説明書セットを含む。
【０００９】
本発明の更なる態様により、口腔トリートメントシステムで使用するために取り付けられる単一カートリッジを含むキットであって、カートリッジが、それぞれ第一及び第二液体口腔トリートメント組成物を含有する第一及び第二リザーバ；並びにシステムによるカートリッジの使用に関する説明書セットを含むキットが提供される。
本発明の更なる態様により、口腔トリートメントシステムを使用者に提供すること、並びに第一及び第二トリートメント組成物を使用者の歯又は口腔軟組織に供給するための制御手段を作動させるために使用者に説明することを含む歯又は口腔軟組織のトリートメント方法を提供する。
【００１０】
（詳細な説明）
本発明のシステムは、２以上の液体口腔トリートメント組成物を貯蔵するためのカートリッジを含む。非常に好ましい実施形態において、例えば、リザーバを補充するため及びカートリッジを再挿入するために、同一の口腔トリートメント組成物の更なる量を含んでもよい又は異なる口腔トリートメント養生法を供給するための異なる組成物を提供してもよい、実質的に同一の構成物の一つにカートリッジを交換するために、カートリッジはハウジングから交換できるように取外し可能である。好適なハウジング、カートリッジ及びアプリケーターの組立ては、米国特許シリアル番号０９／７２１４３１を有する同時係属出願に記載されており、これを本明細書にその全体を参照として組み入れる。トリートメント組成物を口腔に適用するために、アプリケーターはハウジングに取り付けられているか又は取り付け可能である。アプリケーターは、組成物を歯又は口腔軟組織に適用するために好適ないかなる装置であってもよく、適用表面を含み、これはブラシ又はスポンジであってよい。好ましくは、アプリケーターはブラシである。好適には、１以上の溝がアプリケーターを通過して、リザーバと適用表面との間で流体連通を提供する。
【００１１】
いかなる好適なリザーバ又はカートリッジも本発明において利用してよい。利用されるリザーバ又はカートリッジは、完全に又は部分的にハウジングの内部であってもよいし、完全に又は部分的にハウジングの外部であってもよいことは理解されるべきである。好適なリザーバの非限定的な例としては、一般的にカートリッジのような剛壁のものである容積式型リザーバが挙げられ、また、一般的に袋、ブラダー及びブリスターのような軟壁のものであるポンプ真空型も挙げられる。
【００１２】
アプリケーターに組成物をポンプ輸送するためのエネルギーを提供するため、及び／又はアプリケーターにエネルギーを供給するために、例えば移動式ブラシヘッドを駆動するために、ハウジング内に電力供給源が提供される。本明細書に参照として組み入れられる、ジュリアーニ（Ｇｉｕｌｉａｎｉ）らに１９９４年５月１０日に発行された米国特許第５，３０９，５９０号に記載されるように、組成物に音エネルギーを提供するためにも電力供給源を使用することができる。
【００１３】
好適なマイクロプロセッサーと関連したスイッチ又はスイッチセットのような制御手段は、任意選択的に使用者が同時に又は連続的に第一及び第二組成物を口腔に供給することを可能にする。この手段により、トリートメント組成物の正確な制御された適用量を達成できる又は複合トリートメント養生法を供給できるため、マイクロプロセッサーの使用は好ましい。マイクロプロセッサーは、予めプログラムすることができるか、プログラム可能なものであり得る。もちろん口腔ケアを増強するために、ある時間にある組成物を分配するように使用者に気付かせるため、小型のディスプレースクリーンにアラーム又はメッセージを提供するように、このマイクロプロセッサーをプログラムすることができるだろう。例えば、１つは第一リザーバから４時間毎に分配され、もう一方は第二リザーバから６時間毎に分配される２つの口腔トリートメントに関して、特定の時間にブラシを使用するために使用者へのリマインダー／アラームを用いて、そのように分配されるようにマイクロプロセッサーをプログラムすることができるだろう。マイクロプロセッサーの有無に関わらず、２以上のリザーバからの同時又は連続的トリートメントを選択する能力は、多種多様な口腔トリートメント養生法を可能にする。
【００１４】
与えられた予備装填カートリッジが更に、所望の通りにカートリッジリザーバから材料を分配するためにハウジング中に装填される媒体（例えば、所有プログラム機能を作動させるための小型チップ、ディスク、マイクロプロセッサー又は無線周波数ＩＤタグ）上に、それ自体が実行可能な説明書を含んでよいことも想像される。
【００１５】
口腔トリートメントシステムに関して必要であれば、この複合の説明セットは、使用者に提供するために必要とされる。典型的に、これは、キットの一部としてシステムに封入された別のパンフレット又は小型の小冊子の封入により行われるべきであり得る。例えば、「スイッチＢを選択して下さい」（Ｎｏｗ Ｓｅｌｅｃｔ Ｓｗｉｔｃｈ Ｂ）又は「バッテリ交換が必要です」（Ｂａｔｔｅｒｙ ｒｅｐｌａｃｅｍｅｎｔ ｒｅｑｕｉｒｅｄ）のような簡単な説明を与えるための、例えばＬＣＤディスプレイスクリーンを介して使用者と通信するマイクロプロセッサーを介して、一部の説明セットをシステム中に統合することができる。この説明書は、使用者の口腔ケアの要求に従って、第一及び第二組成物の選択についての助言を提供し得る。これらの説明書は、購入時にシステムに存在する組成物の使用を単独で説明し得るか又は交換用カートリッジの選択のような、どの補助組成物を使用するべきかということについての助言まで拡張されてもよい。この説明書は更に、使用者の口腔ケアの要求に従って、システムにより適用されるトリートメント養生法についての助言、例えば、１日のうち何時に使用するべきか、そしてどのトリートメントを選択すべきかということについての助言を提供してもよい。
【００１６】
本発明の更なる実施態様において、システムにより更に提供されるハウジング外部の別の補充カートリッジから、ハウジング内に含有されたリザーバをその場で補充するための提供がされてもよい。トリートメントの間に消費される組成物の量が比較的多く、空になる毎に内部カートリッジを廃棄することがコスト高になるか又は不経済である場合、これは有利となり得る。外部補充カートリッジが、ハウジング内の再充電可能な電池の再充電の機能を付加的に行う基準点の一部を形成してもよい。
【００１７】
トリートメント組成物
このシステムで使用するために、多種多様なトリートメント組成物を提供することができる。好ましくは、第一トリートメント組成物は洗浄剤を含む。典型的に、かかる組成物は、界面活性剤、研磨材及びこれらの混合物から選択される洗浄剤を０．１〜４０％含む。口腔ケアの技術分野において、多種多様な界面活性剤及び研磨材が知られている。好ましい界面活性剤濃度は０．１〜５％、より好ましくは０．５％〜５％である。本明細書で引用される全てのパーセントは、それぞれのトリートメント組成物の重量によるものである。好ましい研磨材濃度は５％〜４０％であり、より好ましくは５％〜２５％である。好適な研磨材としては、炭酸カルシウム、沈殿シリカ及び不溶性ホスフェートが挙げられる。
【００１８】
他の好適な口腔トリートメント組成物は、動物油、鉱油、植物油及びシリコーン油、歯又は口腔軟組織の表面に対して実体的であるポリマー、並びにこれらの混合物から選択されるコンディショニング剤を０．０１〜２０％含む。好適な植物油はヒマワリ油である。好ましいコンディショニング剤はシリコーン油である。好適な分類のシリコーン油としては、限定されないが、ジメチコーン類、ジメチコノール類、ジメチコーンコポリオール類及びアミノアルキルシリコーン類が挙げられる。これらの材料の更なる詳細は、ＰＣＴ国際公開特許ＷＯ９７／１７９３９に提供されている。好ましいアミノアルキルシリコーン類は、ＯＳＩのマグナソフト（Ｍａｇｎａｓｏｆｔ）（登録商標）流体のようなアモジメチコーン類が含まれる。本発明での使用により好ましいものとしては、アルキルジメチコーンコポリオール類及びアルコキシジメチコーンコポリオール類及びこれらの混合物である。とりわけ好ましくは、本明細書に参照として組み入れられるＰＣＴ国際公開特許ＷＯ９６／３３６９３に開示されたジメチコーンコポリオール類である。かかるジメチコーンコポリオール類は、抗歯垢剤としての効力を有する。好ましい実施形態において、ジメチコーンコポリオールはＣ１２〜Ｃ２０アルキルジメチコーンコポリオール類及びこれらの混合物から選択される。非常に好ましくは、商品名アビル（Ａｂｉｌ）ＥＭ９０で市販されているセチルジメチコーンコポリオールである。
【００１９】
好ましくは、第一及び第二トリートメント組成物の少なくとも１つはフッ化物イオン供給源を含む。好適なフッ化物イオン供給源の非限定的な例としては、フッ化スズ、フッ化ナトリウム及びモノフルオロリン酸ナトリウムが挙げられる。好ましいフッ化物イオン供給源は、フッ化ナトリウムである。好ましい組成物は、１００〜３０００ｐｐｍのフッ化物イオンを提供するフッ化物イオン供給源を含む。
【００２０】
他の好適な口腔トリートメント組成物の構成成分としては、アプリケーター表面に分配される時にトリートメント組成物に支持を提供するような溶媒、希釈剤、増粘剤等が挙げられる。
更に有用な構成成分としては、トリクロサンのような抗菌剤；ＰＣＴ国際公開特許ＷＯ９８／２２０７９に開示されるピロリン酸四ナトリウム及び四カリウム及びポリリン酸塩類のような抗結石剤；湿潤剤、甘味剤及び香油が挙げられる。
それらの技術分野で既知の濃度で、全てのこれらの構成成分を使用することができる。
本発明の口腔トリートメント組成物は、好ましくは、薄くなりすぎて組成物が使用前にアプリケーターから漏出することを回避しながら、リザーバからアプリケーター表面へポンプ輸送を受けることができる粘度を有する。
【００２１】
本明細書で使用される場合、用語「粘度」は「動的粘度」を指し、剪断応力と変形速度との比率として定義される。第一及び第二口腔トリートメント組成物の好ましい粘度は、２５℃において０．１ｓ−１の剪断速度で測定される時に約１０〜約５００Ｐａ．ｓの粘度を有する。これらの粘度は、剪断応力下で流動され得る、流出可能な液体及びゲルの両方を包括する。
【００２２】
トリートメント養生法
このシステムは、２つの組成物を完全に同時に供給することができる。異なる化学的構成成分が同時に必要とされるが、１つの組成物で一緒に安定して貯蔵できない場合、これは有利である。本明細書において一般的な例としては、活性成分及び成分の活性化剤が挙げられ得る。本明細書において具体的な例としては、ＰＣＴ国際公開特許ＷＯ９８／３１３３１に開示されるもののような、当該技術分野において既知の、多くのペルオキシド白化トリートメントが挙げられる。
【００２３】
好ましい実施形態において、第一及び第二トリートメント組成物は、連続的に歯又は口腔軟組織に供給される。両方が５分間以内に供給される場合のような同一トリートメント時に、第一及び第二トリートメント組成物を放出することができる。これらの例において、２つの組成物の供給のタイミングは、１つのトリートメントがもう１つより前に開始するか又はもう１つの後に終了するという条件で重なり合ってよい。好ましくは、２つのトリートメントは完全に分離しており、同時の供給は起こらない。本発明の好適なトリートメント養生法としては、第一洗浄トリートメントとその直後に続く１日を通して歯垢増加を防ぐ保護コーティングを提供し得る第二コンディショニングトリートメントが挙げられる。
【００２４】
或は、第一及び第二組成物の供給間に実質的な介在静止期間があってよい。好適な静止期間は少なくとも６時間であり得、例えば、１つの組成物が朝のトリートメントで供給される場合、もう一方は夕方のトリートメントで供給される。この種類の養生法に関する使用説明書は、使用者にどの組成物を使用するべきかを思い出させる手段を含んでよい。好適な手段は、使用者が各使用毎にリセットするカードをベースとするスイッチであってもよい。或は、マイクロプロセッサー制御が、視覚的ディスプレー又は（異なる音色のような）可聴式表示を介して使用者に警告してもよく、又は完全にプロセスを自動化してもよい。本明細書において好適なトリートメント養生法としては、おそらく第一組成物のみが供給される朝の洗浄トリートメントと、それに続く、洗浄組成物が最初に再び供給されるが、次いで直後に、集中的な夜間の作用のための第二の専門的再ミネラル化トリートメントが行われる夕方のトリートメントが挙げられる。
【００２５】
（実施例）
式１Ａは本発明で有用な洗浄組成物である。
【００２６】
【表１】
2004516872.tif 000002
【００２７】
式１Ｂは夜に使用するのに有用な湿潤組成物である。
【００２８】
【表２】
2004516872.tif 000003
【００２９】
式１Ａ及び１Ｂは、アプリケーターブラシに適合するシステム内の別々のリザーバに提供され、使用者には、朝のブラッシング間に式１Ａ、及び夜のブラッシングには式１Ｂを供給するための制御スイッチを作動するための説明書が提供される。
任意選択的に、式１Ａが朝のブラッシング間に供給され、そしてフッ化物トリートメントが夜のブラッシング間に供給されるように、第一リザーバ中に式１Ａ及び第二リザーバ中に本質的なフッ化物トリートメントを含むミネラル化剤を含有する相互カートリッジを用いて、このシステムを提供してもよい。各ブラッシング時に音エネルギーをトリートメント組成物に供給する。
【００３０】
本発明を説明する実施形態を詳細に記載したが、様々な他の変更が明白であり、本発明の精神及び範囲から逸脱することなく当業者によって容易に行われ得ることが理解される。従って、本明細書に添付された請求の範囲が、本明細書で述べた実施例及び記述に制限されることは意図されないが、むしろ請求項が、本発明に属する特許可能な新規性の全ての特徴を包括し、当業者により本発明に属するものと同等のものとして扱われ得る全ての特徴を含むものとして解釈される。特に、実施例は、カートリッジ内に２つのトリートメント組成物リザーバを包括するシステムを含むが、３、４以上のリザーバを含有するより複合カートリッジが想定されてもよい。
【国際公開パンフレット】
2004516872.tif 000004
2004516872.tif 000005
2004516872.tif 000006
2004516872.tif 000007
2004516872.tif 000008
2004516872.tif 000009
2004516872.tif 000010
2004516872.tif 000011
2004516872.tif 000012
2004516872.tif 000013
2004516872.tif 000014
2004516872.tif 000015
【国際調査報告】
2004516872.tif 000016
2004516872.tif 000017